(57)【要約】【課題】  フレームメモリの容量及びフレームメモリに対するアクセス数を削減することができ、構成を簡略化でき低コストで実現することができる映像信号処理装置を提供する。【解決手段】  ２次元Ｙ／Ｃ分離回路１２はコンポジット映像信号を輝度信号Ｙ０と色信号Ｃ０とに分離する。色復調回路１３は色信号Ｃ０を色復調して色差信号ＣＤ０を出力する。３次元Ｙ／Ｃ分離回路１５は画像の動きを検出し、３次元Ｙ／Ｃ分離を行って輝度信号Ｙと色差信号ＣＤを生成する。３次元ＩＰ変換回路１６，１７は輝度信号Ｙと色差信号ＣＤを３次元ＩＰ変換する。フレームメモリ１８は３次元Ｙ／Ｃ分離回路１５と３次元ＩＰ変換回路１６，１７で用いる各遅延信号を生成する。【選択図】      図１
2006005424.tif 000002
【特許請求の範囲】
【請求項１】
インターレースのコンポジット映像信号を処理する映像信号処理装置において、
前記コンポジット映像信号を第１の輝度信号と色信号とに分離して出力する２次元Ｙ／Ｃ分離回路と、
前記色信号を色復調して第１の色差信号を出力する色復調回路と、
前記コンポジット映像信号における画像の動きを検出して静止画領域と動画領域とを判定する動き検出部と、
前記コンポジット映像信号における第１のフィールドの信号と前記第１のフィールドよりも過去の第２のフィールドの信号とを用いた３次元処理によって第２の輝度信号を生成し、前記動き検出部によって静止画領域であると判定されたときには前記第２の輝度信号を第３の輝度信号として出力すると共に、前記動き検出部によって動画領域であると判定されたときには前記第１の輝度信号を第３の輝度信号として出力する輝度信号処理部と、
前記第１の色差信号における前記第１のフィールドの信号と前記第２のフィールドの信号とを用いた３次元処理によって第２の色差信号を生成し、前記動き検出部によって静止画領域であると判定されたときには前記第２の色差信号を第３の色差信号として出力すると共に、前記動き検出部によって動画領域であると判定されたときには前記第１の色差信号を第３の色差信号として出力する色差信号処理部と、
前記動き検出部によって静止画領域であると判定されたときには前記第３の輝度信号における前記第１のフィールドの信号と前記第１のフィールドよりも過去の第３のフィールドの信号とを用いてフィールド間補間して前記第３の輝度信号をプログレッシブ信号に変換し、前記動き検出部によって動画領域であると判定されたときには前記第３の輝度信号における前記第１のフィールドの信号を用いてフィールド内補間して前記第３の輝度信号をプログレッシブ信号に変換する第１の３次元インターレース−プログレッシブ変換回路と、
前記動き検出部によって静止画領域であると判定されたときには前記第３の色差信号における前記第１のフィールドの信号と前記第３のフィールドの信号とを用いてフィールド間補間して前記第３の色差信号をプログレッシブ信号に変換し、前記動き検出部によって動画領域であると判定されたときには前記第３の色差信号における前記第１のフィールドの信号を用いてフィールド内補間して前記第３の色差信号をプログレッシブ信号に変換する第２の３次元インターレース−プログレッシブ変換回路と、
前記輝度信号処理部及び前記色差信号処理部で用いる前記第２のフィールドの信号と前記第１及び第２の３次元インターレース−プログレッシブ変換回路で用いる前記第３のフィールドの信号とを生成するフレームメモリとを備えて構成したことを特徴とする映像信号処理装置。
【発明の詳細な説明】
【技術分野】
【０００１】
本発明は、コンポジット映像信号に対して３次元Ｙ／Ｃ（輝度信号／色信号）分離及び３次元ＩＰ（インターレース−プログレッシブ）変換を施す映像信号処理装置に関する。
【背景技術】
【０００２】
ＮＴＳＣ信号やＰＡＬ信号等の輝度信号と色信号とが複合されたコンポジット映像信号における輝度信号と色信号とを精度よく分離するため、フレーム相関を利用した動き適応型３次元Ｙ／Ｃ分離回路が用いられている。動き適応型３次元Ｙ／Ｃ分離回路は、動画領域についてはライン相関を利用した２次元処理を行い、静止画領域についてはフレーム相関を利用した３次元処理を行って、輝度信号と色信号とを分離するものである。
一方、インターレース信号を走査線補間してプログレッシブ信号に変換するため、フィールド相関を利用した動き適応型３次元ＩＰ変換回路が用いられている。動き適応型３次元ＩＰ変換回路は、動画領域についてはライン相関を利用した２次元処理を行い、静止画領域についてはフィールド相関を利用した３次元処理を行って、インターレース信号をプログレッシブ信号に変換するものである。
【０００３】
図３は、３次元Ｙ／Ｃ分離回路及び３次元ＩＰ変換回路を備えた従来の映像信号処理装置の一例を示すブロック図である。図３においては、入力コンポジット映像信号としてＮＴＳＣ信号を例としている。図３において、入力端子１に入力されたコンポジット映像信号Ｖ０は３次元Ｙ／Ｃ分離回路２とフレームメモリ７とに供給される。入力端子１に入力されたコンポジット映像信号Ｖ０のフィールド（現フィールド）をｍとする。フレームメモリ７は、コンポジット映像信号Ｖ０を１フレーム（２フィールド）遅延した１フレーム遅延コンポジット映像信号Ｖ02と、コンポジット映像信号Ｖ０を２フレーム（４フィールド）遅延した２フレーム遅延コンポジット映像信号Ｖ04とを生成して、３次元Ｙ／Ｃ分離回路２に供給する。１フレーム遅延コンポジット映像信号Ｖ02のフィールドをｍ−２とし、２フレーム遅延コンポジット映像信号Ｖ04のフィールドをｍ−４とする。
３次元Ｙ／Ｃ分離回路２は動き検出部２１を備えている。動き検出部２１は後述のようにして入力されたコンポジット映像信号Ｖ０における画像の動きを検出し、画像の動きの検出信号に基づいてコンポジット映像信号Ｖ０に３次元Ｙ／Ｃ分離を施す。
【０００４】
ＮＴＳＣ信号やＰＡＬ信号における色信号はフレーム周期で位相が回転している。ＮＴＳＣ信号であれば１フレームで１８０°、ＰＡＬ信号であれば２フレームで１８０°位相が回転する。画像の動きを検出するには、色信号の位相が一致しているフレームどうしで演算を行う必要がある。ＮＴＳＣ信号であれば現フレームと２フレーム遅延したフレームとで画像の動きを検出し、ＰＡＬ信号であれば現フレームと４フレーム遅延したフレームとで画像の動きを検出することが必要となる。図３においては、ｍフィールドのコンポジット映像信号Ｖ０とｍ−４フィールドの２フレーム遅延コンポジット映像信号Ｖ04とは、走査線及び色信号の位相が一致している。
そこで、動き検出部２１はコンポジット映像信号Ｖ０と２フレーム遅延コンポジット映像信号Ｖ04とを用いて画像の動きの有無を検出する。３次元Ｙ／Ｃ分離回路２は、動き検出部２１より出力された動きの検出信号に基づき、静止画領域については色信号の位相が反転しているコンポジット映像信号Ｖ０と１フレーム遅延コンポジット映像信号Ｖ02とを加算して１／２にすることにより輝度信号を生成する。３次元Ｙ／Ｃ分離回路２はコンポジット映像信号Ｖ０から輝度信号を減算することにより色信号を生成する。３次元Ｙ／Ｃ分離回路２は、動画領域についてはライン相関を利用した２次元処理を行って輝度信号と色信号を生成する。
【０００５】
このようにして３次元Ｙ／Ｃ分離回路２より出力された輝度信号をＹ０、色信号をＣ０とする。輝度信号Ｙ０は輝度信号を３次元ＩＰ変換する３次元ＩＰ変換回路５及びフレームメモリ７に入力される。
色信号Ｃ０は色復調回路３に入力されてベースバンドの色差信号Ｒ−Ｙ，Ｂ−Ｙとされる。色復調回路３より出力された色差信号Ｒ−Ｙ，Ｂ−Ｙはパラレル・シリアル（ＰＳ）変換回路４に入力されて、シリアル信号の色差信号ＣＤ０として出力される。色差信号ＣＤ０は色信号を３次元ＩＰ変換する３次元ＩＰ変換回路６及びフレームメモリ７に入力される。
【０００６】
フレームメモリ７は、輝度信号Ｙ０を１フィールド遅延した１フィールド遅延輝度信号Ｙ01と、輝度信号Ｙ０を２フィールド（１フレーム）遅延した２フィールド遅延輝度信号Ｙ02とを生成して、３次元ＩＰ変換回路５に供給する。また、フレームメモリ７は、色差信号ＣＤ０を１フィールド遅延した１フィールド遅延色差信号ＣＤ01と、色差信号ＣＤ０を２フィールド（１フレーム）遅延した２フィールド遅延色差信号ＣＤ02とを生成して、３次元ＩＰ変換回路６に供給する。１フィールド遅延輝度信号Ｙ01及び１フィールド遅延色差信号ＣＤ01のフィールドをｍ−１とし、２フィールド遅延輝度信号Ｙ02及び２フィールド遅延色差信号ＣＤ02のフィールドをｍ−２とする。
３次元ＩＰ変換回路５，６はそれぞれ動き検出部５１，６１を備えている。動き検出部５１は互いに走査線の位相が一致している輝度信号Ｙ０と２フィールド遅延輝度信号Ｙ02とを用いて画像の動きの有無を検出する。動き検出部６１は互いに走査線の位相が一致している色差信号ＣＤ０と２フィールド遅延色差信号ＣＤ02とを用いて画像の動きの有無を検出する。
【０００７】
３次元ＩＰ変換回路５は、動き検出部５１より出力された動きの検出信号に基づき、静止画領域については輝度信号Ｙ０に１フィールド遅延輝度信号Ｙ01を内挿するフィールド間補間を行い、動画領域についてはフィールド内補間（ライン間補間）を行う。さらに原信号と補間信号とを倍速変換して、輝度信号Ｙ０をプログレッシブ信号Ｙ０ｐに変換する。３次元ＩＰ変換回路６は、動き検出部６１より出力された動きの検出信号に基づき、静止画領域については色差信号ＣＤ０に１フィールド遅延色差信号ＣＤ01を内挿するフィールド間補間を行い、動画領域についてはフィールド内補間（ライン間補間）を行う。さらに原信号と補間信号とを倍速変換して、色差信号ＣＤ０をプログレッシブ信号ＣＤ０ｐに変換する。
プログレッシブ信号である輝度信号Ｙ０ｐは出力端子８より出力され、プログレッシブ信号である色差信号ＣＤ０ｐは出力端子９より出力される。
【０００８】
【特許文献１】特開平５−６４２０５号公報
【特許文献２】特開平５−３３６４９７号公報
【特許文献３】特開平６−５４３４３号公報
【発明の開示】
【発明が解決しようとする課題】
【０００９】
図４を用いて図３に示す従来の映像信号処理装置の動作についてさらに説明する。図４において、（Ａ）はインターレースのコンポジット映像信号Ｖ０における走査線構造をｍフィールドからｍ−４フィールドまで簡略化して示しており、（Ｂ）は図３の映像信号処理装置における各回路での処理がどのフィールドで、またはどのフィールド間で行われているかを示している。なお、図４（Ａ）における白丸は画素を示しており、図４（Ｂ）における黒丸は単にフィールドの位置を示している。
【００１０】
前述の説明より分かるように、また、図４に示すように、図３に示す従来の映像信号処理装置においては、３次元Ｙ／Ｃ分離回路２内の動き検出部２１はｍフィールドとｍ−４フィールドとの間で動きを検出し（図４（Ｂ）の（Ｂ１））、３次元Ｙ／Ｃ分離回路２はｍフィールドとｍ−２フィールドとの間で静止画領域のＹ／Ｃ分離を行う（図４（Ｂ）の（Ｂ２））と共に、ｍフィールド内で動画領域のＹ／Ｃ分離を行う（図４（Ｂ）の（Ｂ３））。
また、３次元ＩＰ変換回路５，６内の動き検出部５１，６１はｍフィールドとｍ−２フィールドとの間で動きを検出し（図４（Ｂ）の（Ｂ４））、３次元ＩＰ変換回路５はｍフィールドとｍ−１フィールドとの間で静止画領域のＩＰ変換を行う（図４（Ｂ）の（Ｂ５））と共に、ｍフィールド内で動画領域のＩＰ変換を行う（図４（Ｂ）の（Ｂ６））。図４（Ａ）には、静止画領域において、ｍ−１フィールドの走査線の画素がｍフィールドの２つの走査線の間に破線で示すように内挿されることを図示している。ここでは簡略化のため１つの画素のみのフィールド間補間を示しているが、走査線の各画素が内挿される。また、ここでは図示していないが、動画領域ではｍフィールド内の上下の走査線を用いたフィールド内補間が行われる。
【００１１】
以上のように動作する従来の映像信号処理装置においては、フレームメモリ７として４フレーム分のメモリが必要となり、また、フレームメモリ７へのアクセス数が９必要で、メモリ容量及びアクセス数が多いという問題点があった。それゆえ、従来の映像信号処理装置はコストが高く、構成も煩雑であるという問題点があった。
本発明はこのような問題点に鑑みなされたものであり、フレームメモリの容量及びフレームメモリに対するアクセス数を削減することができ、構成を簡略化でき低コストで実現することができる映像信号処理装置を提供することを目的とする。
【課題を解決するための手段】
【００１２】
本発明は、上述した従来の技術の課題を解決するため、インターレースのコンポジット映像信号を処理する映像信号処理装置において、前記コンポジット映像信号を第１の輝度信号と色信号とに分離して出力する２次元Ｙ／Ｃ分離回路（１２）と、前記色信号を色復調して第１の色差信号を出力する色復調回路（１３）と、前記コンポジット映像信号における画像の動きを検出して静止画領域と動画領域とを判定する動き検出部（１５３）と、前記コンポジット映像信号における第１のフィールドの信号と前記第１のフィールドよりも過去の第２のフィールドの信号とを用いた３次元処理によって第２の輝度信号を生成し、前記動き検出部によって静止画領域であると判定されたときには前記第２の輝度信号を第３の輝度信号として出力すると共に、前記動き検出部によって動画領域であると判定されたときには前記第１の輝度信号を第３の輝度信号として出力する輝度信号処理部（１５１）と、前記第１の色差信号における前記第１のフィールドの信号と前記第２のフィールドの信号とを用いた３次元処理によって第２の色差信号を生成し、前記動き検出部によって静止画領域であると判定されたときには前記第２の色差信号を第３の色差信号として出力すると共に、前記動き検出部によって動画領域であると判定されたときには前記第１の色差信号を第３の色差信号として出力する色差信号処理部（１５２）と、前記動き検出部によって静止画領域であると判定されたときには前記第３の輝度信号における前記第１のフィールドの信号と前記第１のフィールドよりも過去の第３のフィールドの信号とを用いてフィールド間補間して前記第３の輝度信号をプログレッシブ信号に変換し、前記動き検出部によって動画領域であると判定されたときには前記第３の輝度信号における前記第１のフィールドの信号を用いてフィールド内補間して前記第３の輝度信号をプログレッシブ信号に変換する第１の３次元インターレース−プログレッシブ変換回路（１６）と、前記動き検出部によって静止画領域であると判定されたときには前記第３の色差信号における前記第１のフィールドの信号と前記第３のフィールドの信号とを用いてフィールド間補間して前記第３の色差信号をプログレッシブ信号に変換し、前記動き検出部によって動画領域であると判定されたときには前記第３の色差信号における前記第１のフィールドの信号を用いてフィールド内補間して前記第３の色差信号をプログレッシブ信号に変換する第２の３次元インターレース−プログレッシブ変換回路（１７）と、前記輝度信号処理部及び前記色差信号処理部で用いる前記第２のフィールドの信号と前記第１及び第２の３次元インターレース−プログレッシブ変換回路で用いる前記第３のフィールドの信号とを生成するフレームメモリ（１８）とを備えて構成したことを特徴とする映像信号処理装置を提供するものである。
【発明の効果】
【００１３】
本発明の映像信号処理装置によれば、フレームメモリの容量及びフレームメモリに対するアクセス数を削減することができ、構成を簡略化でき低コストで実現することができる。
【発明を実施するための最良の形態】
【００１４】
以下、本発明の映像信号処理装置について、添付図面を参照して説明する。図１は本発明の映像信号処理装置の一実施形態を示すブロック図、図２は一実施形態の動作を説明するための図である。なお、図１において、輝度信号や色信号あるいは色差信号を表す符合として便宜上図３と同じものを用いる場合があるが、必ずしも同じ処理によって得た信号を意味するものではない。
【００１５】
図１においても、入力コンポジット映像信号としてＮＴＳＣ信号を例とする。図１において、入力端子１１に入力されたコンポジット映像信号Ｖ０は２次元Ｙ／Ｃ分離回路１２と３次元Ｙ／Ｃ分離回路１５とフレームメモリ１８とに供給される。入力端子１に入力されたコンポジット映像信号Ｖ０のフィールド（現フィールド）をｍとする。フレームメモリ１８は、コンポジット映像信号Ｖ０を１フレーム（２フィールド）遅延した１フレーム遅延コンポジット映像信号Ｖ02を生成して、３次元Ｙ／Ｃ分離回路１５に供給する。１フレーム遅延コンポジット映像信号Ｖ02のフィールドをｍ−２とする。
２次元Ｙ／Ｃ分離回路１２はコンポジット映像信号Ｖ０より櫛型フィルタによる２次元処理によって輝度信号Ｙ０と色信号Ｃ０とを分離して出力する。輝度信号Ｙ０は３次元Ｙ／Ｃ分離回路１５に入力され、色信号Ｃ０は色復調回路１３に入力される。
【００１６】
色信号Ｃ０は色復調回路１３によってベースバンドの色差信号Ｒ−Ｙ，Ｂ−Ｙとされ、色復調回路１３より出力された色差信号Ｒ−Ｙ，Ｂ−Ｙはパラレル・シリアル（ＰＳ）変換回路１４に入力されて、シリアル信号の色差信号ＣＤ０として出力される。色差信号ＣＤ０は色信号を３次元Ｙ／Ｃ分離回路１５及びフレームメモリ１８に入力される。なお、ＰＳ変換回路１４は信号処理の都合上設けているものであり、必ずしも必要ではない。
フレームメモリ１８は、色差信号ＣＤ０を１フレーム（２フィールド）遅延した１フレーム遅延色差信号ＣＤ02を生成して、３次元Ｙ／Ｃ分離回路１５に供給する。色差信号ＣＤ０のフィールドはｍであり、１フレーム遅延色差信号ＣＤ02のフィールドはｍ−２である。
【００１７】
３次元Ｙ／Ｃ分離回路１５は動き検出部１５３を備えている。動き検出部１５３は次のようにして画像の動きを検出する。即ち、入力されたコンポジット映像信号Ｖ０と１フレーム遅延コンポジット映像信号Ｖ02との双方からローパスフィルタ（図示せず）によって高域成分を除去する。これにより、コンポジット映像信号Ｖ０と１フレーム遅延コンポジット映像信号Ｖ02は実質的に輝度信号成分のみとなる。輝度信号成分のみとなったコンポジット映像信号Ｖ０と１フレーム遅延コンポジット映像信号Ｖ02とのフレーム差分が所定の閾値を越えるか否かを判定する。
輝度信号成分のみで画像の動きの有無を判定してもよいが、本実施形態では好ましい例として、色差信号成分も用いて画像の動きの有無を判定する。具体的には、色差信号ＣＤ０と１フレーム遅延色差信号ＣＤ02のフィールドとのフレーム差分が所定の閾値を越えるか否かを判定し、輝度信号成分に動きがあり、かつ色差信号成分にも動きがある場合に動きがあると判定する。なお、動き検出部１５３での動き検出の判定方法はこれに限定されるものではない。
【００１８】
３次元Ｙ／Ｃ分離回路１５は、動き検出部１５３により得られた画像の動きの検出信号に基づいてコンポジット映像信号Ｖ０を３次元Ｙ／Ｃ分離する。静止画領域において、ドット妨害成分を除く本来の輝度信号成分はコンポジット映像信号Ｖ０と１フレーム遅延コンポジット映像信号Ｖ02とで同位相である。これに対し、ドット妨害成分はコンポジット映像信号Ｖ０と１フレーム遅延コンポジット映像信号Ｖ02とで逆位相である。そこで、輝度信号処理部（Ｙ処理部）１５１は、コンポジット映像信号Ｖ０と１フレーム遅延コンポジット映像信号Ｖ02とを加算して１／２にすることにより、輝度信号成分に含まれているドット妨害成分のみを相殺して除去する。
Ｙ処理部１５１は、動き検出部１５３からの動きの検出信号により画像に動きがないと判定された静止画領域でコンポジット映像信号Ｖ０と１フレーム遅延コンポジット映像信号Ｖ02とを加算した３次元処理の輝度信号を出力する。また、Ｙ処理部１５１は、動き検出部１５３からの動きの検出信号により画像に動きがあると判定された動画領域では、２次元Ｙ／Ｃ分離回路１２からの輝度信号Ｙ０をそのまま出力する。Ｙ処理部１５１より出力される輝度信号をＹとする。
【００１９】
一方、静止画領域において、クロスカラー妨害成分を除く本来の色差信号成分は色差信号ＣＤ０と１フレーム遅延色差信号ＣＤ02とで同位相である。これに対し、クロスカラー妨害成分は色差信号ＣＤ０と１フレーム遅延色差信号ＣＤ02とで逆位相である。そこで、色差信号処理部（ＣＤ処理部）１５２は、色差信号ＣＤ０と１フレーム遅延色差信号ＣＤ02とを加算して１／２にすることによって、色差信号成分に含まれているクロスカラー妨害成分のみを相殺して除去する。
ＣＤ処理部１５２は、動き検出部１５３からの動きの検出信号により画像に動きがないと判定された静止画領域で色差信号ＣＤ０と１フレーム遅延色差信号ＣＤ02とを加算した３次元処理の色差信号を出力する。また、ＣＤ処理部１５２は、動き検出部１５３からの動きの検出信号により画像に動きがあると判定された動画領域では、色差信号ＣＤ０をそのまま出力する。ＣＤ処理部１５２より出力される色差信号をＣＤとする。
【００２０】
以上のようにしてＹ処理部１５１より出力された輝度信号Ｙは、３次元ＩＰ変換回路１６とフレームメモリ１８とに供給される。ＣＤ処理部１５２より出力された色差信号ＣＤは、３次元ＩＰ変換回路１７とフレームメモリ１８とに供給される。動き検出部１５３からの動きの検出信号は、３次元ＩＰ変換回路１６，１７に供給される。
フレームメモリ１８は、Ｙ処理部１５１より出力された輝度信号Ｙを１フィールド遅延した１フィールド遅延輝度信号Ｙ01を生成して３次元ＩＰ変換回路１６に供給し、ＣＤ処理部１５２より出力された色差信号ＣＤを１フィールド遅延した１フィールド遅延色差信号ＣＤ01を生成して３次元ＩＰ変換回路１７に供給する。１フィールド遅延輝度信号Ｙ01及び１フィールド遅延色差信号ＣＤ01のフィールドをｍ−１とする。
【００２１】
３次元ＩＰ変換回路１６は、動き検出部１５３より出力された動きの検出信号に基づき、静止画領域についてはＹ処理部１５１より出力された輝度信号Ｙに１フィールド遅延輝度信号Ｙ01を内挿するフィールド間補間を行い、動画領域については輝度信号Ｙのみでフィールド内補間（ライン間補間）を行う。さらに原信号と補間信号とを倍速変換して、輝度信号をプログレッシブ信号Ｙｐに変換する。３次元ＩＰ変換回路１７は、動き検出部１５３より出力された動きの検出信号に基づき、静止画領域についてはＣＤ処理部１５２より出力された色差信号ＣＤに１フィールド遅延色差信号ＣＤ01を内挿するフィールド間補間を行い、動画領域については色差信号ＣＤのみでフィールド内補間（ライン間補間）を行う。さらに原信号と補間信号とを倍速変換して、色差信号をプログレッシブ信号ＣＤｐに変換する。
プログレッシブ信号である輝度信号Ｙｐは出力端子１９より出力され、プログレッシブ信号である色差信号ＣＤｐは出力端子２０より出力される。
【００２２】
図２を用いて図１に示す本実施形態の映像信号処理装置の動作についてさらに説明する。図２において、（Ａ）はインターレースのコンポジット映像信号Ｖ０における走査線構造をｍフィールドからｍ−２フィールドまで簡略化して示しており、（Ｂ）は図１の映像信号処理装置における各回路での処理がどのフィールドで、またはどのフィールド間で行われているかを示している。なお、図４と同様、図２（Ａ）における白丸は画素を示しており、図２（Ｂ）における黒丸は単にフィールドの位置を示している。
【００２３】
前述の説明より分かるように、また、図２に示すように、図１に示す本実施形態の映像信号処理装置においては、３次元Ｙ／Ｃ分離回路１５内の動き検出部１５３はｍフィールドとｍ−２フィールドとの間で動きを検出し（図２（Ｂ）の（Ｂ１））、３次元Ｙ／Ｃ分離回路１５（Ｙ処理部１５１及びＣＤ処理部１５２）はｍフィールドとｍ−２フィールドとの間で静止画領域のＹ／Ｃ分離を行う（図２（Ｂ）の（Ｂ２））と共に、ｍフィールド内で動画領域のＹ／Ｃ分離を行う（図２（Ｂ）の（Ｂ３））。
また、３次元ＩＰ変換回路１６，１７はｍフィールドとｍ−１フィールドとの間で静止画領域のＩＰ変換を行う（図２（Ｂ）の（Ｂ４））と共に、ｍフィールド内で動画領域のＩＰ変換を行う（図２（Ｂ）の（Ｂ５））。図２（Ａ）には、静止画領域において、ｍ−１フィールドの走査線の画素がｍフィールドの２つの走査線の間に破線で示すように内挿されることを図示している。ここでは簡略化のため１つの画素のみのフィールド間補間を示しているが、走査線の各画素が内挿される。また、ここでは図示していないが、動画領域ではｍフィールド内の上下の走査線を用いたフィールド内補間が行われる。
【００２４】
以上のように動作する本実施形態の映像信号処理装置においては、フレームメモリ１８として３フレーム分のメモリでよく、また、フレームメモリ１８へのアクセス数は８でよく、図３の従来例と比較してメモリ容量及びアクセス数を少なくすることができる。よって，本実施形態の映像信号処理装置は低コストで、構成も簡略化することができる。さらに、動き検出部１５３での動き検出は、ｍフィールドとｍ−４フィールドとの間（２フレーム間）で行う必要があった図３の構成とは異なり、ｍフィールドとｍ−２フィールドとの間（１フレーム間）で行うことができるので、動きの速い画像の動きも精度よく検出することができ、プログレッシブ信号の画質を向上させることが可能となる。
【図面の簡単な説明】
【００２５】
【図１】本発明の一実施形態を示すブロック図である。
【図２】一実施形態の動作を説明するための図である。
【図３】従来例を示すブロック図である。
【図４】の従来例動作を説明するための図である。
【符号の説明】
【００２６】
１２  ２次元Ｙ／Ｃ分離回路
１３  色復調回路
１５  ３次元Ｙ／Ｃ分離回路
１６，１７  ３次元インターレース−プログレッシブ変換回路（３次元ＩＰ変換回路）
１８  フレームメモリ
１５１  輝度信号処理部（Ｙ処理部）
１５２  色差信号処理部（ＣＤ処理部）
１５３  動き検出部
【図１】
2006005424.tif 000003
【図２】
2006005424.tif 000004
【図３】
2006005424.tif 000005
【図４】
2006005424.tif 000006